(57)【要約】【課題】冷蔵庫の庫内の意匠に関し、スッキリ感、透明感、光沢を持たせる。また、冷蔵室内の脱臭性能を高める。【解決手段】背面ダクト３１および天面ダクト３２の前面に略全面に亘って透明樹脂カバー３３を設けたことにより、庫内背面あるいは天面のスッキリ感、透明感、高級感、表面の光沢により冷蔵室内の意匠性が高まる。また、背面ダクト３１の吸い込み風路４７内に、脱臭専用ファン５１と脱臭触媒５２、５３からなる脱臭装置５０を一体に設けたことにより、脱臭触媒での通過風量を確実に確保でき、省スペースを維持しながら冷蔵室内の脱臭性能を高めることができる。【選択図】  図２
2004232888.tif 000002
【特許請求の範囲】
【請求項１】
庫内の背面部に庫内を冷却するダクトを有する冷蔵庫において、前記ダクトの前面に略全面に亘って透明樹脂カバーを設けたことを特徴とする冷蔵庫。
【請求項２】
透明樹脂カバーは複数に分割したものを組み込んだことを特徴とする請求項１に記載の冷蔵庫。
【請求項３】
ダクトの一部に庫内灯を有し、透明樹脂カバーは前記庫内灯のカバーを兼用することを特徴とする請求項２に記載の冷蔵庫。
【請求項４】
庫内灯のカバーを別部品とし、透明樹脂カバーに着脱可能に配設したことを特徴とする請求項２に記載の冷蔵庫。
【請求項５】
ダクトの吐出口に対応する透明樹脂カバーに穴を設け、前記穴の裏面周囲にシール部材を設けたことを特徴とする請求項１から請求項４のいずれか一項に記載の冷蔵庫。
【請求項６】
透明樹脂カバーの裏面を断面凹凸形状としたことを特徴とする請求項１から請求項５のいずれか一項に記載の冷蔵庫。
【請求項７】
庫内の背面部に庫内を冷却するダクトを有する冷蔵庫において、前記ダクトの吸い込み風路内に脱臭触媒および脱臭専用ファンを一体に設けたことを特徴とする冷蔵庫。
【請求項８】
ダクトの吸い込み風路内に脱臭触媒を複数個設けたことを特徴とする請求項７に記載の冷蔵庫。
【請求項９】
脱臭専用ファン取付部に対応したダクト部に開口部を設け、前記開口部を脱臭専用吸い込み口としたことを特徴とする請求項７に記載の冷蔵庫。
【請求項１０】
ダクトの前面に略全面に亘って透明樹脂カバーを設け、前記ダクトの脱臭専用吸い込み口に対応する前記透明樹脂カバーに開口部を有する不透明化粧部材を配置したことを特徴とする請求項７から請求項９のいずれか一項に記載の冷蔵庫。
【請求項１１】
ダクトの吸い込み風路内に脱臭触媒および脱臭専用ファンを一体に設けた脱臭装置とは別に、前記脱臭装置より上流側に脱臭触媒を設けたことを特徴とする請求項７に記載の冷蔵庫。
【請求項１２】
ダクトの吸い込み風路内に脱臭触媒および脱臭専用ファンを一体に設けた脱臭装置の運転を制御する運転制御スイッチを設けたことを特徴とする請求項７から請求項１１のいずれか一項に記載の冷蔵庫。
【発明の詳細な説明】
【０００１】
【発明の属する技術分野】
本発明は、冷蔵庫の庫内を冷却するダクトに関するものである。
【０００２】
【従来の技術】
近年、生活スタイルの多様化により、意匠性の良し悪しが商品の価値を大きく左右しており、冷蔵室内の見栄えを良くする工夫がなされている（例えば、特許文献１参照）。また、従来から冷蔵庫内の臭いに対しての不満も潜在的に多く、庫内のスペースを確保しながら脱臭性能を高めるため、庫内を冷却するダクト内に脱臭フィルターを設置したものもある（例えば、特許文献２参照）。
【０００３】
以下、図面を参照しながら上記従来の冷蔵庫を説明する。
【０００４】
図８は、従来の冷蔵庫の冷蔵室の平面断面図である。
【０００５】
図において、１は冷蔵庫本体で内箱２と外箱３との間に断熱材４を充填発泡したものであり、冷蔵室５の背面にはダクト６とダクトカバー７をあらかじめ内箱２の裏側（断熱材側）に固定し、その後、断熱材４を充填発泡する。ダクト６の庫内吐出口に位置する内箱２にはあらかじめ開口部を形成しており、図示しない冷却器、送風ファンにより生成した冷気が、冷蔵室５に吐出される。
【０００６】
したがってダクト６とダクトカバー７を、冷蔵室５の内側（庫内側）からビス等で固定する必要がなくなり、冷蔵室５の庫内の見栄えがよくなるというものである。
【０００７】
また、図９は従来の冷蔵庫の要部縦断面図である。
【０００８】
図において、８は冷蔵庫本体で内部に冷凍室９と冷蔵室１０を有し、冷却器１１、送風機１２により冷凍室９と冷蔵室１０が冷却される。そして冷蔵室１０からの戻り冷気は冷蔵室戻りダクト１３の吸い込み口１４から吸い込まれ冷却器１１にもどる。このとき、冷蔵室戻りダクト１３内には脱臭フィルター１５が設けられており、冷蔵室内の脱臭を行うものである。
【０００９】
したがって、冷蔵室戻りダクト１３内に脱臭フィルター１５を設けることで、冷蔵室内の内容積を減らすことなく脱臭作用を得ることができるというものである。
【００１０】
【特許文献１】
特開平８−１５２２５４号公報
【特許文献２】
特開平５−２０３３３６号公報
【００１１】
【発明が解決しようとする課題】
しかしながら、上記特許文献１に示す従来の構成では冷蔵室５の庫内の背面はスッキリするものの、背面は内箱で構成されているため、表面の光沢、透明感等を意匠的に表現することはできなかった。
【００１２】
また、上記特許文献２に示す従来の構成では冷蔵室戻りダクト１３内に脱臭フィルター１５を全面に亘って配置しているので、風路抵抗が大きくなり、冷蔵室の冷却性能が劣化してしまうという課題を有していた。また、上記課題を考慮して脱臭フィルター１５の風路抵抗を小さくするためにフィルターの目を粗くする方法もあるが、そうした場合、接触面積の減少により脱臭性能が低下してしまうという課題が生じる。また、冷却性能劣化を防止する他の方法としては、脱臭フィルター１５を冷蔵室戻りダクト１３の一部にバイパスして配置する方法もあるが、その場合、風路抵抗の大きい脱臭フィルター１５へ流れる冷気の風量が少なく脱臭性能が低下してしまうという課題を有していた。
【００１３】
本発明は上記従来の課題を解決するもので、冷蔵室の庫内の背面のスッキリ感、透明感、光沢を持たせることで意匠性を高めた冷蔵庫を提供することを目的とする。
【００１４】
また、冷蔵室戻りダクト内に脱臭装置を有するものにおいて、脱臭性能を高めた冷蔵庫を提供することを目的とするものである。
【００１５】
【課題を解決するための手段】
本発明の請求項１に記載の発明は、庫内の背面部に庫内を冷却するダクトを有する冷蔵庫において、前記ダクトの前面に略全面に亘って透明樹脂カバーを設けたものであり、透明樹脂カバーのスッキリ感、透明感、高級感、表面の光沢により冷蔵室内の意匠性が高まる。
【００１６】
請求項２に記載の発明は、請求項１に記載の発明において、透明樹脂カバーは複数に分割したものを組み込んだものであり、一体に成形したものに比べ組み込み後の部品交換は必要なものだけで対応でき、安価に且つ容易にできる。
【００１７】
請求項３に記載の発明は、請求項２に記載の発明において、ダクトの一部に庫内灯を有し、透明樹脂カバーは前記庫内灯のカバーを兼用するものであり、部品点数、工数の低減が図れる。また、透明樹脂カバー全体に光が広がることで高級感が高まり冷蔵室内の意匠性が高まる。
【００１８】
請求項４に記載の発明は、請求項２に記載の発明において、庫内灯のカバーを別部品とし、透明樹脂カバーに着脱可能に配設したものであり、庫内灯の交換が容易にできる。
【００１９】
請求項５に記載の発明は、請求項１から請求項４のいずれか一項に記載の発明において、ダクトの吐出口に対応する透明樹脂カバーに穴を設け、前記穴の裏面周囲にシール部材を設けたものであり、ダクトの吐出口からの冷気が確実に透明樹脂カバーの穴を通り冷蔵室内に吐出され、透明樹脂カバー裏面の結露を防止できる。
【００２０】
請求項６に記載の発明は、請求項１から請求項５のいずれか一項に記載の発明において、透明樹脂カバーの裏面を断面凹凸形状としたものであり、透明樹脂層を通る光が断面凹凸部で屈折、反射し、深みのある模様を演出することができる。
【００２１】
請求項７に記載の発明は、庫内の背面部に庫内を冷却するダクトを有する冷蔵庫において、前記ダクトの吸い込み風路内に脱臭触媒および脱臭専用ファンを一体に設けたものであり、脱臭専用ファンにより脱臭触媒での通過風量を確実に確保でき、省スペースを維持しながら冷蔵室内の脱臭性能を高めることができる。
【００２２】
請求項８に記載の冷蔵庫の発明は、請求項７に記載の発明において、ダクトの吸い込み風路内に脱臭触媒を複数個設けたものであり、さらに冷蔵室内の脱臭性能を高めることができる。
【００２３】
請求項９に記載の発明は、請求項７に記載の発明において、脱臭専用ファン取付部に対応したダクト部に開口部を設け、前記開口部を脱臭専用吸い込み口としたものであり、冷蔵室冷却のための吸い込み風路とは別に脱臭専用吸い込み口を設けることで、風路抵抗をさらに減らすことができ、冷蔵室内の脱臭性能を高めることができる。また、脱臭専用ファンの吸い込み風向を水平方向に設置できるので、ダクトの奥行きスペースを小さくでき省スペースが可能となる。
【００２４】
請求項１０に記載の発明は、請求項７から請求項９のいずれか一項に記載の発明において、ダクトの前面に略全面に亘って透明樹脂カバーを設け、前記ダクトの脱臭専用吸い込み口に対応する前記透明樹脂カバーに開口部を有する不透明化粧部材を配置したものであり、脱臭専用ファンが正面から直接見えなくなるので、冷蔵室内のスッキリ感を高めることができる。
【００２５】
請求項１１に記載の発明は、請求項７に記載の発明において、ダクトの吸い込み風路内に脱臭触媒および脱臭専用ファンを一体に設けた脱臭装置とは別に、前記脱臭装置より上流側に脱臭触媒を設けたものであり、脱臭専用ファンを運転しない場合は、脱臭装置より上流側に設けた脱臭触媒により脱臭され、脱臭効率が向上する。
【００２６】
請求項１２に記載の発明は、請求項７から請求項１１のいずれか一項に記載の発明において、ダクトの吸い込み風路内に脱臭触媒および脱臭専用ファンを一体に設けた脱臭装置の運転を制御する運転制御スイッチを設けたものであり、使用者の選択により脱臭をコントロールでき使い勝手の向上が図れる。また、必要な時のみ運転することで、節電が可能となる。
【００２７】
【発明の実施の形態】
以下、本発明による冷蔵庫の一実施の形態について、図面を参照しながら説明する。
【００２８】
（実施の形態１）
図１は本発明の実施の形態１による冷蔵庫の概略断面図、図２は同実施の形態の冷蔵庫の冷蔵室背面部品分解斜視図、図３は同実施の形態の冷蔵庫の冷蔵室ダクトの吐出口近傍の断面図、図４は同実施の形態の冷蔵庫の冷蔵室ダクトおよび透明樹脂カバーの平面断面図である。
【００２９】
図において、２１は冷蔵庫本体で、前面を開口し内部を上下に複数の区画に仕切り上部より冷蔵室２２、野菜室２３、冷凍室２４を形成する断熱箱体２５と、冷蔵室扉２６、野菜室扉２７、冷凍室扉２８とよりなる。
【００３０】
冷蔵室２２の背面には冷蔵室用冷却器２９、冷蔵室用ファン３０を設け、その前面には樹脂製の背面ダクト３１を有する。また、冷蔵室天面には樹脂製の天面ダクト３２を設け、天面ダクト３２は背面ダクト３１の上部で風路を連通している。
【００３１】
冷凍室２４の背面には図示しないが冷凍室用冷却器を有し、冷凍室２４を専用に冷却し、冷蔵室２２、野菜室２３とは独立した冷却風路を形成している。
【００３２】
背面ダクト３１および天面ダクト３２の前面には、略全面に亘って透明樹脂カバー３３を設けている。透明樹脂カバー３３は複数に分割されており、背面カバー上３４と背面カバー下３５と天面カバー３６とよりなる。天面ダクト３２には天面庫内灯３７を備え、背面ダクト３１の中央下部には背面庫内灯３８を備えている。そして背面庫内灯３８の前方には背面カバー下３５が配置されている。また、天面ダクト３２に備えた天面庫内灯３７の前方（下方）に対応して天面カバー３６には別部品で透明樹脂で成形した天面庫内灯カバー３９が着脱可能に設けられている。また、背面カバー上３４と背面カバー下３５は図示しないツメで背面ダクト３１に固定される。
【００３３】
背面ダクト３１には庫内の冷気を冷蔵室用冷却器２９に戻すための吸い込み口４１と冷蔵室用冷却器２９からの冷気を庫内に供給する吐出口４２を有している。吐出口４２に対応する背面カバー上３４の吐出口４３の近傍には裏面に向かってリブ４４を備え、リブ４４の外周を囲むようにシール部材４５を設けている。シール部材４５としてはポリエチフォームなどが用いられる。そして背面ダクト３１に背面カバー上３４を組み込んだ時、背面ダクト３１の吐出口４２と背面カバー上３４の吐出口４３とはシール部材４５により圧接しながら確実にシールされる。
【００３４】
また、図４は冷蔵室ダクトおよび透明樹脂カバーを組み込んだ時の平面断面図であり、透明樹脂で成形された背面カバー上３４の裏面である背面ダクト３１側は断面凹凸形状４６を形成している。断面凹凸形状４６は波状としたり、三角形状、台形状などを選択できる。
【００３５】
なお、透明樹脂カバー３３は成型時に塗料を配合し半透明としてもよい。
【００３６】
上記構成により、背面ダクト３１および天面ダクト３２の前面に略全面に亘って透明樹脂カバー３３を設けたことにより、庫内背面あるいは天面のスッキリ感、透明感、高級感、表面の光沢により冷蔵室内の意匠性が高まる。
【００３７】
また、透明樹脂カバー３３は複数に分割し、背面カバー上３４と背面カバー下３５と天面カバー３６とよりなるものであり、一体に成形したものに比べ組み込み後の部品交換は必要なものだけで対応でき、安価に且つ容易にできるという効果を有する。また背面カバー上３４と背面カバー下３５と天面カバー３６はツメ等で背面ダクト３１および天面ダクト３２に固定することで、ビスを用いる必要がなく、組立作業性、見栄えが向上する。
【００３８】
また、背面ダクト３１の中央下部には背面庫内灯３８を備え、前方には透明樹脂製の背面カバー下３５を配置し背面庫内灯３８のカバーとして兼用しているので、部品点数、工数の低減が図れる。また、冷蔵室扉２６開放時、背面庫内灯３８の光が透明樹脂カバー３３全体に広がり、庫内の保存食品が見やすくなるとともに、高級感が高まり冷蔵室内の意匠性が高まる。また、天面庫内灯３７も同時に備えることで、さらに庫内が見やすくなり、背面と天面からの光により透明樹脂カバー３３の意匠性もさらに高まる。
【００３９】
また、天面ダクト３２に備えた天面庫内灯３７の前方（下方）に対応して天面カバー３６には別部品で透明樹脂で成形した天面庫内灯カバー３９が着脱可能に設けたので、天面庫内灯３７の交換が容易にできるようになる。
【００４０】
また、背面ダクト３１には庫内の冷気を冷蔵室用冷却器２９に戻すための吸い込み口４１と冷蔵室用冷却器２９からの冷気を庫内に供給する吐出口４２を有し、吐出口４２に対応する背面カバー上３４の吐出口４３の近傍には裏面に向かってリブ４４を備え、リブ４４の外周を囲むようにシール部材４５を設け、背面ダクト３１に背面カバー上３４を組み込んだ時、背面ダクト３１の吐出口４２と背面カバー上３４の吐出口４３とはシール部材４５により圧接するようにしているので、背面ダクト３１の吐出口からの冷気が確実に透明樹脂カバー３３の穴を通り冷蔵室内に吐出され、透明樹脂カバー３３の裏面に漏れることがなく、透明樹脂カバー３３の結露を防止できる。
【００４１】
また、透明樹脂カバー３３の裏面を断面凹凸形状４６としたものであり、透明樹脂層を通る光が断面凹凸部４６で屈折、反射し、深みのある模様を演出することができる。
【００４２】
なお、透明樹脂カバー３３に配合する塗料は自由に選択でき、透明度（光の透過率）も自由に設定できる。また、抗菌剤などを練り込むことも可能である。
【００４３】
（実施の形態２）
図５は本発明の実施の形態２による冷蔵庫の冷蔵室の背面ダクトを裏側から見た斜視図、図６は同実施の形態による冷蔵庫の冷蔵室の背面ダクトを前面から見た斜視図、図７は同実施の形態による冷蔵庫の冷蔵室の背面ダクト内に設けた脱臭装置の要部断面図である。なお、実施の形態１と同一構成については、同一符号を付してその詳細な説明は省略する。
【００４４】
図において、背面ダクト３１は区画リブ４９により、吸い込み風路４７と吐出風路４８とに区画されている。吸い込み風路４７内には脱臭装置５０を備え、脱臭装置５０は脱臭専用ファン５１、脱臭触媒５２、５３からなる。脱臭専用ファン５１は軸流ファンと呼ばれるボックス状のもので、取付スペースを小さくでき、本実施の形態では図７に示すように、垂直状態からやや傾斜させ、背面ダクト３１の厚みに対して最大限上方に向くように設置している。
【００４５】
脱臭触媒５２、５３は、マンガン、アルミナ、珪素などの酸化物をコルゲートハニカム状に成型したもので、セル数は２００セル／平方インチ程度としている。そして脱臭専用ファン５１の下流で、冷気の流れに対して上下に重なるように脱臭専用ファン５１の近傍に設置している。また、脱臭触媒５２、５３は周囲を軟質フォームで囲い、背面ダクト３１から一体に成形した固定リブ５４に固定されている。また、脱臭専用ファン５１と脱臭触媒５２、５３の両側面には隔壁５５を備え、脱臭装置５０の専用の風路を形成している。
【００４６】
また、背面ダクト３１の脱臭専用ファン５１取付部の前面部（庫内側）に開口部５６を設け、前記開口部５６を脱臭専用吸い込み口としている。
【００４７】
また、背面ダクト３１の前面に略全面に亘って透明樹脂カバー３３を設け、前記背面ダクト３１の脱臭専用吸い込み口となる開口部５６に対応する前記透明樹脂カバー３３にも開口部５７を設ける。透明樹脂カバー３３の開口部５７は多数の小孔を円形状に成形したもので、開口部５７の表面には不透明な化粧部材としてアルミ光沢５８をホットスタンプで施している。
【００４８】
また、脱臭装置５０とは別に、吸い込み風路４７内で脱臭装置５０より上流側に位置する冷蔵室冷気戻り口６０の近傍に第三の脱臭触媒５９を備え、第三の脱臭触媒５９の成分、構成は、脱臭触媒５２、５３と同仕様のものを用いている。
【００４９】
また、脱臭装置５０の脱臭専用ファン５１の運転を制御する脱臭操作スイッチを設け、使用者が、庫内の臭いが気になる時に脱臭操作スイッチを押すことで所定時間、脱臭専用ファン５１を運転するものである。
【００５０】
上記構成により、背面ダクト３１の吸い込み風路４７内に、脱臭専用ファン５１と脱臭触媒５２、５３からなる脱臭装置５０を一体に設けたことにより、脱臭触媒での通過風量を確実に確保でき、省スペースを維持しながら冷蔵室内の脱臭性能を高めることができる。
【００５１】
また、吸い込み風路内に脱臭触媒５２、５３を複数個、冷気の流れに対して上下に重なるように設けたことにより、上流の脱臭触媒５２で吸着しきれなかった臭い成分を下流の脱臭触媒５３で吸着でき、冷蔵室内の脱臭性能を高めることができる。また、上流の脱臭触媒５２で一度吸着した臭い成分が、長期使用時に脱離する場合もあるが、このとき、下流の脱臭触媒５３で再吸着でき、冷蔵室内の脱臭性能を高めることができる。
【００５２】
また、背面ダクト３１の脱臭専用ファン５１取付部の前面部（庫内側）に開口部５６を設け、前記開口部５６を脱臭専用吸い込み口としたことにより、冷蔵室冷却のための吸い込み風路とは別に脱臭専用吸い込み口を設けることで、風路抵抗をさらに減らすことができ、冷蔵室内の脱臭性能を高めることができる。また、脱臭専用ファン５１の吸い込み風向を水平方向に設置できるので、背面ダクト３１の奥行きスペースを小さくでき省スペースが可能となる。
【００５３】
また、背面ダクト３１の前面に略全面に亘って透明樹脂カバー３３を設け、前記背面ダクト３１の脱臭専用吸い込み口となる開口部５６に対応する前記透明樹脂カバー３３にも開口部５７を設け、透明樹脂カバー３３の開口部５７は多数の小孔を円形状に成形したもので、開口部５７の表面には不透明な化粧部材としてアルミメッキ５８を施しているので、脱臭専用ファン５１が正面から直接見えなくなり、冷蔵室内のスッキリ感を高めることができる。
【００５４】
また、脱臭装置５０とは別に、吸い込み風路４７内で脱臭装置５０より上流側に位置する冷蔵室冷気戻り口６０の近傍に第三の脱臭触媒５９を設けたものであり、脱臭専用ファン５１を運転しない場合は、脱臭装置５０より上流側に設けた脱臭触媒５９により脱臭され、通常運転時の脱臭効率が向上する。
【００５５】
また、脱臭装置５０の脱臭専用ファン５１の運転を制御する脱臭操作スイッチを設けたものであり、使用者の選択により脱臭をコントロールでき使い勝手の向上が図れる。また、必要な時のみ運転することで、節電が可能となる。
【００５６】
なお、本実施の形態では、特に詳しい説明をしなかったが、冷蔵室と冷凍室はそれぞれ独立した冷却器および冷却風路を備えたものである。これにより、冷蔵庫の臭いは保存温度の高い冷蔵室から発生する臭い成分が大半で、それぞれ独立した冷却器および冷却風路とすることで、冷蔵室の臭いが冷凍室の冷凍食品、あるいは製氷室の氷に移ることがなくなるとともに、上記脱臭装置を備えることで、冷蔵室内の優れた脱臭効果を得ることができる。
【００５７】
また、本実施の形態では、脱臭触媒５２、５３は同一成分からなるもので説明したが、それぞれ吸着効果が異なる触媒から構成したものでもよい。これにより、冷蔵室内の臭いを総合的に脱臭できる。
【００５８】
また、脱臭装置５０の脱臭専用ファン５１の運転を制御する脱臭操作スイッチを設けたもので説明したが、臭いセンサにより脱臭専用ファン５１の運転を自動的に制御することもできる。
【００５９】
【発明の効果】
以上説明したように請求項１に記載の発明は、庫内の背面部に庫内を冷却するダクトを有する冷蔵庫において、前記ダクトの前面に略全面に亘って透明樹脂カバーを設けたものであり、透明樹脂カバーのスッキリ感、透明感、高級感、表面の光沢により冷蔵室内の意匠性が高まる。
【００６０】
また、請求項２に記載の発明は、請求項１に記載の発明において、透明樹脂カバーは複数に分割したものを組み込んだものであり、一体に成形したものに比べ組み込み後の部品交換は必要なものだけで対応でき、安価に且つ容易にできる。
【００６１】
また、請求項３に記載の発明は、請求項２に記載の発明において、ダクトの一部に庫内灯を有し、透明樹脂カバーは前記庫内灯のカバーを兼用するものであり、部品点数、工数の低減が図れる。また、透明樹脂カバー全体に光が広がることで高級感が高まり冷蔵室内の意匠性が高まる。
【００６２】
また、請求項４に記載の発明は、請求項２に記載の発明において、庫内灯のカバーを別部品とし、透明樹脂カバーに着脱可能に配設したものであり、庫内灯の交換が容易にできる。
【００６３】
また、請求項５に記載の発明は、請求項１から請求項４のいずれか一項に記載の発明において、ダクトの吐出口に対応する透明樹脂カバーに穴を設け、前記穴の裏面周囲にシール部材を設けたものであり、透明樹脂カバー裏面の結露を防止できる。
【００６４】
また、請求項６に記載の発明は、請求項１から請求項５のいずれか一項に記載の発明において、透明樹脂カバーの裏面を断面凹凸形状としたものであり、透明樹脂層を通る光が断面凹凸部で屈折、反射し、深みのある模様を演出することができる。
【００６５】
また、請求項７に記載の発明は、庫内の背面部に庫内を冷却するダクトを有する冷蔵庫において、前記ダクトの吸い込み風路内に脱臭触媒および脱臭専用ファンを一体に設けたものであり、省スペースを維持しながら冷蔵室内の脱臭性能を高めることができる。
【００６６】
また、請求項８に記載の冷蔵庫の発明は、請求項７に記載の発明において、ダクトの吸い込み風路内に脱臭触媒を複数個設けたものであり、さらに冷蔵室内の脱臭性能を高めることができる。
【００６７】
また、請求項９に記載の発明は、請求項７に記載の発明において、脱臭専用ファン取付部に対応したダクト部に開口部を設け、前記開口部を脱臭専用吸い込み口としたものであり、風路抵抗をさらに減らすことができ、冷蔵室内の脱臭性能を高めることができる。また、脱臭専用ファンの吸い込み風向を水平方向に設置できるので、ダクトの奥行きスペースを小さくでき省スペースが可能となる。
【００６８】
また、請求項１０に記載の発明は、請求項７から請求項９のいずれか一項に記載の発明において、ダクトの前面に略全面に亘って透明樹脂カバーを設け、前記ダクトの脱臭専用吸い込み口に対応する前記透明樹脂カバーに開口部を有する不透明化粧部材を配置したものであり、脱臭専用ファンが正面から直接見えなくなるので、冷蔵室内のスッキリ感を高めることができる。
【００６９】
また、請求項１１に記載の発明は、請求項７に記載の発明において、ダクトの吸い込み風路内に脱臭触媒および脱臭専用ファンを一体に設けた脱臭装置とは別に、前記脱臭装置より上流側に脱臭触媒を設けたものであり、脱臭専用ファンを運転しない場合は、脱臭装置より上流側に設けた脱臭触媒により脱臭され、脱臭効率が向上する。
【００７０】
また、請求項１２に記載の発明は、請求項７から請求項１１のいずれか一項に記載の発明において、ダクトの吸い込み風路内に脱臭触媒および脱臭専用ファンを一体に設けた脱臭装置の運転を制御する運転制御スイッチを設けたものであり、使用者の選択により脱臭をコントロールでき使い勝手の向上が図れる。また、必要な時のみ運転することで、節電が可能となる。
【図面の簡単な説明】
【図１】本発明の実施の形態１による冷蔵庫の概略断面図
【図２】同実施の形態の冷蔵庫の冷蔵室背面部品分解斜視図
【図３】同実施の形態の冷蔵庫の冷蔵室ダクトの吐出口近傍の断面図
【図４】同実施の形態の冷蔵庫の冷蔵室ダクトおよび透明樹脂カバーの平面断面図
【図５】本発明の実施の形態２による冷蔵庫の冷蔵室の背面ダクトを裏側から見た斜視図
【図６】同実施の形態による冷蔵庫の冷蔵室の背面ダクトを前面から見た斜視図
【図７】同実施の形態による冷蔵庫の冷蔵室の背面ダクト内に設けた脱臭装置の要部断面図
【図８】従来の冷蔵庫の冷蔵室の平面断面図
【図９】従来の冷蔵庫の要部縦断面図
【符号の説明】
２１  冷蔵庫本体
２２  冷蔵室
３１  背面ダクト
３２  天面ダクト
３３  透明樹脂カバー
３４  背面カバー上
３５  背面カバー下
３６  天面カバー
３７  天面庫内灯
３８  背面庫内灯
３９  天面庫内灯カバー
４２、４３  吐出口
４５  シール部材
４６  断面凹凸形状
４７  吸い込み風路
５０  脱臭装置
５１  脱臭専用ファン
５２、５３、５９  脱臭触媒
５６、５７  開口部
５８  アルミ光沢
【図１】
2004232888.tif 000003
【図２】
2004232888.tif 000004
【図３】
2004232888.tif 000005
【図４】
2004232888.tif 000006
【図５】
2004232888.tif 000007
【図６】
2004232888.tif 000008
【図７】
2004232888.tif 000009
【図８】
2004232888.tif 000010
【図９】
2004232888.tif 000011